(57)【要約】【課題】ＲＧＢを含む４つの発光源により画素が構成される場合において、画質を悪化させることなく部品数を削減するとともに、高精細な画像表示を行うことができるＬＥＤ表示装置を提供する。【解決手段】マトリクス状に配列された複数の２色ＬＥＤランプ２１を、隣接する２個の２色ＬＥＤランプ２１の集合体を１画素として駆動することにより、画像を表示するＬＥＤ表示装置２０において、上記集合体は、青色ＬＥＤチップおよび赤色ＬＥＤチップを内蔵した青・赤色ＬＥＤランプ（Ｂ，Ｒ）と、赤色ＬＥＤチップおよび緑色ＬＥＤチップを内蔵した赤・緑色ＬＥＤランプ（Ｒ，Ｇ）とを含み、画素（２２ａ，２２ｂ，２２ｃ，…）は、行方向または列方向に隣接する画素（２２ｂ，２２ｃ，…）と、上記集合体を構成する２色ＬＥＤランプ２１のうち上記隣接する画素の側に位置する２色ＬＥＤランプ２１が、共有して駆動されている。【選択図】図４
2012212152.tif 000002
【特許請求の範囲】
【請求項１】
マトリクス状に配列された複数の２色ＬＥＤランプを、隣接する２個の２色ＬＥＤランプの集合体を１画素として駆動することにより、画像を表示するＬＥＤ表示装置において、
上記集合体は、青色ＬＥＤチップおよび緑色ＬＥＤチップを内蔵した青・緑色ＬＥＤランプと、緑色ＬＥＤチップおよび赤色ＬＥＤチップを内蔵した緑・赤色ＬＥＤランプとを含み、
画素は、行方向または列方向に隣接する画素と、上記集合体を構成する２色ＬＥＤランプのうち上記隣接する画素の側に位置する２色ＬＥＤランプが、共有して駆動されていることを特徴とするＬＥＤ表示装置。
【請求項２】
マトリクス状に配列された複数の２色ＬＥＤランプを、隣接する２個の２色ＬＥＤランプの集合体を１画素として駆動することにより、画像を表示するＬＥＤ表示装置において、
上記集合体は、青色ＬＥＤチップおよび赤色ＬＥＤチップを内蔵した青・赤色ＬＥＤランプと、赤色ＬＥＤチップおよび緑色ＬＥＤチップを内蔵した赤・緑色ＬＥＤランプとを含み、
画素は、行方向または列方向に隣接する画素と、上記集合体を構成する２色ＬＥＤランプのうち上記隣接する画素の側に位置する２色ＬＥＤランプが、共有して駆動されていることを特徴とするＬＥＤ表示装置。
【請求項３】
マトリクス状に配列された複数の２色ＬＥＤランプを、隣接する２個の２色ＬＥＤランプの集合体を１画素として駆動することにより、画像を表示するＬＥＤ表示装置において、
上記集合体は、赤色ＬＥＤチップおよび青色ＬＥＤチップを内蔵した赤・青色ＬＥＤランプと、青色ＬＥＤチップおよび緑色ＬＥＤチップを内蔵した青・緑色ＬＥＤランプとを含み、
画素は、行方向または列方向に隣接する画素と、上記集合体を構成する２色ＬＥＤランプのうち上記隣接する画素の側に位置する２色ＬＥＤランプが、共有して駆動されていることを特徴とするＬＥＤ表示装置。
【発明の詳細な説明】
【技術分野】
【０００１】
本発明は、ＬＥＤ表示装置に関するものであり、詳細には、主に屋外で文字や映像などの情報（画像）を表示する、多色表示可能なＬＥＤ表示装置に関する。
【背景技術】
【０００２】
図６は、従来のＬＥＤ表示装置１の構成を示す外観斜視図である。図７は、図６に示したＬＥＤ表示装置１の一部断面側面図である。
【０００３】
ＬＥＤ表示装置１は、所定の間隔でマトリクス状に配列した複数のＬＥＤランプ２を駆動（発光）することによって、文字や映像などの情報（画像）を表示する。ＬＥＤランプ２は、プリント配線基板３に実装されている。プリント配線基板３は、ＬＥＤランプ２の実装面が露出するように、ケース４に固定され収められている。
【０００４】
プリント配線基板３には、図示しない駆動制御回路が実装されている。駆動制御回路は、表示する画像データに基づいて、ＬＥＤランプ２を駆動するための駆動信号を、ＬＥＤランプ２に出力する。ＬＥＤランプ２は、駆動信号に応じて発光する。これにより、配列されたＬＥＤランプ２が露出している面、すなわち表示部に、画像が表示される。画像表示は画素単位で行われており、１つのＬＥＤランプ２により、１つの画素（１ピクセル）が形成されている。
【０００５】
また、ＬＥＤ表示装置１は、ルーバー５を備えている。ルーバー５は、プリント配線基板３の４辺に、各辺に沿って壁をなすように形成されている。ルーバー５を備えることにより、ＬＥＤ表示装置１を屋外で使用する際、太陽光がＬＥＤランプ２に入射しないように、太陽光を遮光することができる。よって、表示のコントラストを向上することが可能となる。
【０００６】
さらには、ＬＥＤ表示装置１は、ケース４とＬＥＤランプ２との間の空間が、樹脂により充填されて構成されている。これにより、ＬＥＤ表示装置１を屋外で使用する際、駆動制御回路などに雨水を浸入させないようにしている。よって、ＬＥＤ表示装置１は、屋外に設置される場合であっても、好適に使用することが可能である。
【０００７】
ＬＥＤランプ２としては、単色のＬＥＤランプが用いられ、例えば、赤色ＬＥＤチップを内蔵した赤色ＬＥＤランプと、緑色ＬＥＤチップを内蔵した緑色ＬＥＤランプと、青色ＬＥＤチップを内蔵した青色ＬＥＤランプとが用いられている。これら各色のＬＥＤランプ２は、一定の配列パターンに基づいて配列されている。
【０００８】
表示の際、１つのＬＥＤランプ２が、表示の１ドットを構成し、色情報を持つ１画素として駆動されている。但し、多色（フルカラー）表示を行う場合は、１画素に、Ｒ（赤）Ｇ（緑）Ｂ（青）３色を発光可能なＬＥＤランプを構成する必要がある。このため、１つの単色ＬＥＤランプを、１画素として駆動する場合、表示させる色数に限界があり、多色表示は困難である。
【０００９】
それゆえ、ＬＥＤランプ２として、赤色ＬＥＤチップ、緑色ＬＥＤチップ、および青色ＬＥＤチップを内蔵した３色ＬＥＤランプを用いることもある。３色ＬＥＤランプを１画素として駆動することにより、多色表示が可能となる。
【００１０】
また、多色表示を行うために、赤色ＬＥＤランプ、緑色ＬＥＤランプ、および青色ＬＥＤランプを含む、単色ＬＥＤランプを４個使用した集合体が、１画素として駆動される場合もある。
【００１１】
次いで、図８を参照しながら、上記駆動時に構成される画素について説明する。
【００１２】
図８は、表示部のレイアウトを示す正面図である。なお、図８では、表示部の一部（８行×８列の計６４個のＬＥＤランプ２）を示しており、Ｒは赤色ＬＥＤランプを示し、Ｇは緑色ＬＥＤランプを示し、Ｂは青色ＬＥＤランプを示している。なお、ＬＥＤランプ２の配列パターン、および画素の取り得る構成が異なるのみで、ＬＥＤ表示装置１と同一の構成により駆動される。
【００１３】
１画素（１ドット、１ピクセル）は、１個の赤色ＬＥＤランプ、２個の緑色ＬＥＤランプ、および１個の青色ＬＥＤランプを含む、隣接する２行×２列の計４個のＬＥＤランプ２の集合体により構成されている。
【００１４】
具体的には、画素６ａは、右上に位置する緑色ＬＥＤランプと、右下に位置する赤色ＬＥＤランプと、左上に位置する青色ＬＥＤランプと、左下に位置する緑色ＬＥＤランプとにより構成されている。また、画素６ａの左隣に位置する画素６ｂも、画素６ａを構成するＬＥＤランプ２の集合体の隣にて、同様に構成されている。
【００１５】
このようにして、図８に示す８行×８列の計６４個のＬＥＤランプ２が備えられている構成においての画素数は１６個となる。そして、１６個の画素は重なることなく分布している。各画素（画素６ａ，６ｂ，…）には、ＲＧＢの３色発光を可能にする４個のＬＥＤランプ２が内蔵されているので、多色表示が可能となっている。
【００１６】
ここで、多色表示と同時に、画質を悪化させることなく、ＬＥＤ表示装置の小型化や解像度（精細度）の向上を実現することが、常に要望されている。これに対し、従来では、１つの単色ＬＥＤランプが１画素を構成するが、ＬＥＤランプを時分割駆動して表示を行うことにより、解像度を高めたり（例えば、特許文献１参照。）、１画面表示が終了するごとに、画素を構成するＲＧＢそれぞれのＬＥＤランプの組合せが変わるように、点灯制御ラインをずらして駆動することにより、高精細な画像表示を可能としている（例えば、特許文献２参照。）。
【００１７】
さらに、特許文献３には、緑色ＬＥＤランプが所定の間隔で配列され、赤色ＬＥＤランプまたは青色ＬＥＤランプが緑色ＬＥＤランプ間に配列されている構成において、画素が、赤色ＬＥＤランプまたは青色ＬＥＤランプを隣接する画素と共有し、隣接する画素を時分割駆動する構成が記載されている。これにより、１画素がＲＧＢ３色のＬＥＤランプをそれぞれ個別に１つずつ含むように構成される場合に比べて、画質を維持しながら、ＬＥＤランプの数を減らしている。
【先行技術文献】
【特許文献】
【００１８】
【特許文献１】特許３３９６２１５号明細書（２０００年９月２８日公開）
【特許文献２】特許３４５２８７２号明細書（２００２年１月２３日公開）
【特許文献３】特開２００３−２４８４６１号公報（２００３年９月５日公開）
【発明の概要】
【発明が解決しようとする課題】
【００１９】
しかしながら、従来では、図８を用いて説明したような、各画素が、１個の赤色ＬＥＤランプ、２個の緑色ＬＥＤランプ、および１個の青色ＬＥＤランプを含む、隣接する２行×２列の計４個のＬＥＤランプ２の集合体により構成される場合においては、解像度を向上させ、高精細な画像表示を行うことができないという問題点を有している。
【００２０】
上記集合体により画素が構成される場合、精細度は各ドットのピッチによって決められていた。また、ＲＧＢ内蔵の３色ＬＥＤランプにおいても、３色ＬＥＤランプのピッチによって精細度は決められるが、３色含むため３色ＬＥＤランプ自体のサイズが大きい。
【００２１】
特許文献１には、Ｒ，Ｇ，ＢのＬＥＤランプを均一に配置し、ＬＥＤランプの配列密度よりも高密の駆動データ配列を対比させて駆動させることで、より一般的に文字や画像情報を高精細に表示することを可能にすることが記載されているが、駆動データが非常に多く、複雑な構成になっている。
【００２２】
また、特許文献２には、解像度を高める手法が開示されているが、ＬＥＤランプ数を極力減らした構成により、信頼性の点で不具合が生じる。すなわち、Ｒ，Ｇ，Ｂの個々の色のＬＥＤランプを２等辺三角形に配置し、１画素を構成しているが、Ｒ，Ｇ，ＢのＬＥＤランプは性能が全く同じではないので、特定の色のＬＥＤランプのみ、輝度を補うために駆動電流を大きくするなどの対応が必要となる。しかし、大電流駆動は、特定の色のＬＥＤランプの信頼性の低下につながるので望ましくない。
【００２３】
さらに、特許文献３には、特許文献２と同様に解像度を高める手法が開示されているが、隣接する画素間で共有するＬＥＤランプを視認性の低いランプに限定しているため、その色の表示が不鮮明になるという虞がある。
【００２４】
本発明は、上記従来の問題点に鑑みなされたものであって、その目的は、ＲＧＢを含む４つの発光源により画素が構成される場合において、画質を悪化させることなく部品数を削減するとともに、高精細な画像表示を行うことができるＬＥＤ表示装置を提供することにある。
【課題を解決するための手段】
【００２５】
上記課題を解決するために、本発明のＬＥＤ表示装置は、マトリクス状に配列された複数の２色ＬＥＤランプを、隣接する２個の２色ＬＥＤランプの集合体を１画素として駆動することにより、画像を表示するＬＥＤ表示装置において、上記集合体は、青色ＬＥＤチップおよび緑色ＬＥＤチップを内蔵した青・緑色ＬＥＤランプと、緑色ＬＥＤチップおよび赤色ＬＥＤチップを内蔵した緑・赤色ＬＥＤランプとを含み、画素は、行方向または列方向に隣接する画素と、上記集合体を構成する２色ＬＥＤランプのうち上記隣接する画素の側に位置する２色ＬＥＤランプが、共有して駆動されていることを特徴としている。
【００２６】
また、本発明のＬＥＤ表示装置は、マトリクス状に配列された複数の２色ＬＥＤランプを、隣接する２個の２色ＬＥＤランプの集合体を１画素として駆動することにより、画像を表示するＬＥＤ表示装置において、上記集合体は、青色ＬＥＤチップおよび赤色ＬＥＤチップを内蔵した青・赤色ＬＥＤランプと、赤色ＬＥＤチップおよび緑色ＬＥＤチップを内蔵した赤・緑色ＬＥＤランプとを含み、画素は、行方向または列方向に隣接する画素と、上記集合体を構成する２色ＬＥＤランプのうち上記隣接する画素の側に位置する２色ＬＥＤランプが、共有して駆動されていることを特徴としている。
【００２７】
さらに、本発明のＬＥＤ表示装置は、マトリクス状に配列された複数の２色ＬＥＤランプを、隣接する２個の２色ＬＥＤランプの集合体を１画素として駆動することにより、画像を表示するＬＥＤ表示装置において、上記集合体は、赤色ＬＥＤチップおよび青色ＬＥＤチップを内蔵した赤・青色ＬＥＤランプと、青色ＬＥＤチップおよび緑色ＬＥＤチップを内蔵した青・緑色ＬＥＤランプとを含み、画素は、行方向または列方向に隣接する画素と、上記集合体を構成する２色ＬＥＤランプのうち上記隣接する画素の側に位置する２色ＬＥＤランプが、共有して駆動されていることを特徴としている。
【００２８】
上記の各構成によれば、行方向または列方向に隣接する各画素は、集合体を構成する２色ＬＥＤランプうち上記隣接する画素の側に位置する２色ＬＥＤランプが、共有して構成されていることにより、各画素は、行方向または列方向に重なり合って配列されている。
【００２９】
よって、例えば、８行×４列または４行×８列の計３２個の２色ＬＥＤランプが備えられている場合、画素数は２８個（７行×４列または４行×７列）となる。従来では同配列の単色ＬＥＤランプの構成においての画素数は１６個であるので、これに比べて、画像の解像度を約２倍近く向上することが可能となる。それゆえ、高精細な画像表示を行うことが可能となる。
【００３０】
また、単色ＬＥＤランプを備える場合よりも、画質を悪化させることなく、ランプ数および回路部品を削減することが可能となる。それゆえ、大幅なコストダウンを実現するという効果も併せて奏する。
【００３１】
なお、上記何れの構成においても、各画素には、赤（Ｒ）緑（Ｇ）青（Ｂ）の３色発光を可能にする２個の２色ＬＥＤランプが内蔵されているので、多色表示を行うことが可能となっている。
【００３２】
また、集合体が、青・赤色ＬＥＤランプと赤・緑色ＬＥＤランプとを含む構成においては、赤色の割合が大きくなるように表示することが可能であるので、赤色で表示される情報がより鮮明となる。これにより、観測者に対して、上記情報として、例えば、危険情報などの重要情報を的確に伝えることが可能となり、観測者への注意の喚起向上につながる。
【発明の効果】
【００３３】
以上のように、本発明のＬＥＤ表示装置は、隣接する２個の２色ＬＥＤランプの集合体は、青色ＬＥＤチップおよび緑色ＬＥＤチップを内蔵した青・緑色ＬＥＤランプと、緑色ＬＥＤチップおよび赤色ＬＥＤチップを内蔵した緑・赤色ＬＥＤランプとを含み、画素は、行方向または列方向に隣接する画素と、上記集合体を構成する２色ＬＥＤランプのうち上記隣接する画素の側に位置する２色ＬＥＤランプが、共有して駆動されている構成である。
【００３４】
また、本発明のＬＥＤ表示装置は、隣接する２個の２色ＬＥＤランプの集合体は、青色ＬＥＤチップおよび赤色ＬＥＤチップを内蔵した青・赤色ＬＥＤランプと、赤色ＬＥＤチップおよび緑色ＬＥＤチップを内蔵した赤・緑色ＬＥＤランプとを含み、画素は、行方向または列方向に隣接する画素と、上記集合体を構成する２色ＬＥＤランプのうち上記隣接する画素の側に位置する２色ＬＥＤランプが、共有して駆動されている構成である。
【００３５】
さらに、本発明のＬＥＤ表示装置は、隣接する２個の２色ＬＥＤランプの集合体は、赤色ＬＥＤチップおよび青色ＬＥＤチップを内蔵した赤・青色ＬＥＤランプと、青色ＬＥＤチップおよび緑色ＬＥＤチップを内蔵した青・緑色ＬＥＤランプとを含み、画素は、行方向または列方向に隣接する画素と、上記集合体を構成する２色ＬＥＤランプのうち上記隣接する画素の側に位置する２色ＬＥＤランプが、共有して駆動されている構成である。
【００３６】
それゆえ、各画素は、行方向または列方向に重なり合って配列されている。よって、従来に比べて、画像の解像度を約２倍近く向上することができ、高精細な画像表示を行うことができるという効果を奏する。また、単色ＬＥＤランプを備える場合よりも、画質を悪化させることなく、ランプ数および回路部品を削減することが可能となり、大幅なコストダウンを実現するという効果も併せて奏する。
【００３７】
なお、上記何れの構成においても、各画素には、ＲＧＢの３色発光を可能にする２個の２色ＬＥＤランプが内蔵されているので、多色表示を行うことができるＬＥＤ表示装置を提供するという効果を奏する。
【００３８】
また、集合体が、青・赤色ＬＥＤランプと赤・緑色ＬＥＤランプとを含む構成においては、赤色の割合が大きくなるように表示することが可能であるので、赤色で表示される情報がより鮮明となる。これにより、観測者に対して、上記情報として、例えば、危険情報などの重要情報を的確に伝えることが可能となり、観測者への注意の喚起向上につながる。
【図面の簡単な説明】
【００３９】
【図１】本発明におけるＬＥＤ表示装置の実施の一形態を示す図である。
【図２】上記ＬＥＤ表示装置における、画素の他の構成例を示す図である。
【図３】上記ＬＥＤ表示装置における、ＬＥＤランプの他の配列例を示す図である。
【図４】本発明におけるＬＥＤ表示装置の他の実施の形態を示すものであり、従来と比較した画素の構成例を示す図である。
【図５】上記ＬＥＤ表示装置における、従来と比較した画素の他の構成例を示す図である。
【図６】従来のＬＥＤ表示装置の構成を示す斜視図である。
【図７】上記従来のＬＥＤ表示装置の一部断面側面図である。
【図８】上記従来のＬＥＤ表示装置における画素の構成を示す図である。
【発明を実施するための形態】
【００４０】
〔実施の形態１〕
本発明の一実施形態について図面に基づいて説明すれば、以下の通りである。
【００４１】
（ＬＥＤ表示装置の構成）
図１は、本実施の形態のＬＥＤ表示装置１０の一構成例を示す正面図である。なお、図１では、表示部の一部（８行×８列の計６４個のＬＥＤランプ２）を示している。
【００４２】
本実施の形態のＬＥＤ表示装置１０は、図６〜８に示した従来のＬＥＤ表示装置１と比較して、ＬＥＤランプ２の配列パターン、および画素の取り得る構成が異なるのみで、他は同様の構成を有している。それゆえ、説明の便宜上、前述した図面に示した部材と同一の機能を有する部材については、同一の符号を付し、その説明を省略する。
【００４３】
ＬＥＤ表示装置１０は、所定の間隔でマトリクス状に配列された複数のＬＥＤランプ２を駆動（発光）することによって、文字や映像などの情報（画像）を表示する。ＬＥＤランプ２は、プリント配線基板３に実装されている。プリント配線基板３は、ＬＥＤランプ２の実装面が露出するように、ケース４に固定され収められている。
【００４４】
ＬＥＤランプ２は、１色を発光する半導体チップが１つ内蔵された、１色発光可能なＬＥＤランプである。ＬＥＤランプ２は、行方向（垂直方向）および列方向（水平方向）に、等しいピッチ（等間隔）で配列されている。１ピクセルが、行方向（垂直方向）および列方向（水平方向）に２個のＬＥＤランプ２を共有させながら、所定のピッチで配列されていればよい。
【００４５】
また、ＬＥＤ表示装置１０は、ルーバー５を備えている。これにより、ＬＥＤ表示装置１０を屋外で使用する際、太陽光がＬＥＤランプ２に入射しないように、太陽光を遮光することが可能となる。よって、表示のコントラストを向上することが可能となる。
【００４６】
さらには、ＬＥＤ表示装置１０は、ケース４とＬＥＤランプ２との間の空間が、樹脂により充填されて構成されている。これにより、ＬＥＤ表示装置１０を屋外で使用する際、駆動回路などに雨水が浸入することを防止することが可能となる。ゆえに、ＬＥＤ表示装置１０は屋外での使用に好適である。
【００４７】
図１において、Ｒは赤色ＬＥＤランプを示し、Ｇは緑色ＬＥＤランプを示し、Ｂは青色ＬＥＤランプを示している。赤色ＬＥＤランプ、緑色ＬＥＤランプ、および青色ＬＥＤランプは、一定の配列パターンに基づいて配列されている。
【００４８】
１画素（１ドット、１ピクセル）は、１個の赤色ＬＥＤランプ、２個の緑色ＬＥＤランプ、および１個の青色ＬＥＤランプを含む、隣接する２行×２列の計４個のＬＥＤランプ２の集合体により構成されている。そして、上記集合体を構成する右側の縦（行方向）２個のＬＥＤランプ２は、右隣の画素を構成する集合体に含まれており、上記集合体を構成する左側の縦２個のＬＥＤランプ２は、左隣の画素を構成する集合体に含まれている。
【００４９】
詳細には、画素１１ａは、右上に位置する緑色ＬＥＤランプと、右下に位置する赤色ＬＥＤランプと、左上に位置する青色ＬＥＤランプと、左下に位置する緑色ＬＥＤランプとにより構成されている。また、画素１１ａの左隣の画素１１ｂは、右上に位置する青色ＬＥＤランプと、右下に位置する緑色ＬＥＤランプと、左上に位置する緑色ＬＥＤランプと、左下に位置する赤色ＬＥＤランプとにより構成されている。
【００５０】
よって、画素１１ｂの右上に位置する青色ＬＥＤランプは、画素１１ａの左上に位置する青色ＬＥＤランプであるので、隣接する画素１１ａと画素１１ｂとは、この青色ＬＥＤランプを共有している。同様に、画素１１ｂの右下に位置する緑色ＬＥＤランプは、画素１１ａの左下に位置する緑色ＬＥＤランプであるので、隣接する画素１１ａと画素１１ｂとは、この緑色ＬＥＤランプを共有している。
【００５１】
したがって、列方向に隣接する画素１１ａと画素１１ｂとは、集合体を構成するＬＥＤランプ２のうち隣接する画素の側に位置する縦２個のＬＥＤランプ２が、共有して構成されている。
【００５２】
また、画素１１ｂの左隣の画素１１ｃは、右上に位置する緑色ＬＥＤランプと、右下に位置する赤色ＬＥＤランプと、左上に位置する青色ＬＥＤランプと、左下に位置する緑色ＬＥＤランプとにより構成されている。
【００５３】
よって、画素１１ｃの右上に位置する緑色ＬＥＤランプは、画素１１ｂの左上に位置する緑色ＬＥＤランプあるので、隣接する画素１１ｂと画素１１ｃとは、この緑色ＬＥＤランプを共有している。同様に、画素１１ｃの右下に位置する赤色ＬＥＤランプは、画素１１ｂの左下に位置する赤色ＬＥＤランプであるので、隣接する画素１１ｂと画素１１ｃとは、この赤色ＬＥＤランプを共有している。
【００５４】
したがって、列方向に隣接する画素１１ｂと画素１１ｃとは、集合体を構成するＬＥＤランプ２のうち隣接する画素の側に位置する縦２個のＬＥＤランプ２が、共有して構成されている。
【００５５】
このように、列方向に隣接する各画素（画素１１ａ，１１ｂ，１１ｃ，…）は、集合体を構成するＬＥＤランプ２のうち隣接する画素の側に位置する縦２個のＬＥＤランプ２が、共有して構成されている。ゆえに、ＬＥＤ表示装置１０では、各画素は、列方向に重なり合って配列されている。
【００５６】
よって、ＬＥＤ表示装置１０では、例えば、図１に示す８行×８列の計６４個のＬＥＤランプ２が備えられている場合、画素数は２８個（４行×７列）となる。従来の図８に示す８行×８列の計６４個のＬＥＤランプ２が備えられている構成においての画素数は１６個であるので、これに比べて、ＬＥＤ表示装置１０は画像の解像度を約２倍近く向上することが可能となる。それゆえ、高精細な画像表示を行うことが可能となる。
【００５７】
また、上記効果を奏することにより、ＬＥＤランプ２の使用数を約１／２に低減することが可能となるので、画質を悪化させることなく、ＬＥＤランプ２の個数削減することが可能となる。さらに、回路部品（例えば、ＬＥＤランプ２への駆動信号を出力する信号配線など。）を削減することも可能となる。それゆえ、大幅なコストダウンを実現するという効果も併せて奏する。
【００５８】
また、各画素には、ＲＧＢの３色発光を可能にする４個のＬＥＤランプ２が内蔵されているので、ＬＥＤ表示装置１０は、多色表示を行うことが可能となっている。つまりは、赤色ＬＥＤランプ、緑色ＬＥＤランプ、および青色ＬＥＤランプは、上記画素を構成する集合体に、１個の赤色ＬＥＤランプ、２個の緑色ＬＥＤランプ、および１個の青色ＬＥＤランプを含むような一定の配列パターンに基づいて配列されている。また、ＬＥＤランプ２は、等間隔で配列されていることにより、隣接する画素とＬＥＤランプ２を共用しても、表示する映像に何ら影響はない。
【００５９】
なお、ＬＥＤ表示装置１０では、列方向に隣接する画素がＬＥＤランプ２を共有する構成としたが、これに限らず、行方向に隣接する画素がＬＥＤランプ２を共有する構成、または、行方向および列方向の両方に隣接する画素がＬＥＤランプ２を共有する構成、とすることも勿論可能である。
【００６０】
図２は、行方向および列方向の両方に隣接する画素がＬＥＤランプ２を共有する構成を示す図である。
【００６１】
１画素は、１個の赤色ＬＥＤランプ、２個の緑色ＬＥＤランプ、および１個の青色ＬＥＤランプを含む、隣接する２行×２列の計４個のＬＥＤランプ２の集合体により構成されている。そして、上記集合体を構成する右側の縦２個のＬＥＤランプ２は、右隣の画素を構成する集合体に含まれており、上記集合体を構成する左側の縦２個のＬＥＤランプ２は、左隣の画素を構成する集合体に含まれている。そしてさらに、上記集合体を構成する上側の横（列方向）２個のＬＥＤランプ２は、上隣の画素を構成する集合体に含まれており、上記集合体を構成する下側の横２個のＬＥＤランプ２は、下隣の画素を構成する集合体に含まれている。
【００６２】
詳細には、画素１１ａの下隣の画素１２ａは、右上に位置する赤色ＬＥＤランプと、右下に位置する緑色ＬＥＤランプと、左上に位置する緑色ＬＥＤランプと、左下に位置する青色ＬＥＤランプとにより構成されている。
【００６３】
よって、画素１２ａの右上に位置する赤色ＬＥＤランプは、画素１１ａの右下に位置する赤色ＬＥＤランプであるので、隣接する画素１１ａと画素１２ａとは、この赤色ＬＥＤランプを共有している。同様に、画素１２ａの左上に位置する緑色ＬＥＤランプは、画素１１ａの左下に位置する緑色ＬＥＤランプであるので、隣接する画素１１ａと画素１２ａとは、この緑色ＬＥＤランプを共有している。
【００６４】
したがって、行方向に隣接する画素１１ａと画素１２ａとは、集合体を構成するＬＥＤランプ２のうち隣接する画素の側に位置する横２個のＬＥＤランプ２が、共有して構成されている。
【００６５】
また、画素１２ａの下隣の画素１３ａは、右上に位置する緑色ＬＥＤランプと、右下に位置する赤色ＬＥＤランプと、左上に位置する青色ＬＥＤランプと、左下に位置する緑色ＬＥＤランプとにより構成されている。
【００６６】
よって、画素１３ａの右上に位置する緑色ＬＥＤランプは、画素１２ａの右下に位置する緑色ＬＥＤランプあるので、隣接する画素１２ａと画素１３ａとは、この緑色ＬＥＤランプを共有している。同様に、画素１２ａの左上に位置する青色ＬＥＤランプは、画素１２ａの左下に位置する青色ＬＥＤランプであるので、隣接する画素１２ａと画素１３ａとは、この青色ＬＥＤランプを共有している。
【００６７】
したがって、行方向に隣接する画素１２ａと画素１３ａとは、集合体を構成するＬＥＤランプ２のうち隣接する画素の側に位置する横２個のＬＥＤランプ２が、共有して構成されている。
【００６８】
また、画素１２ａの左隣の画素１２ｂは、右上に位置する緑色ＬＥＤランプと、右下に位置する青色ＬＥＤランプと、左上に位置する赤色ＬＥＤランプと、左下に位置する緑色ＬＥＤランプとにより構成されている。
【００６９】
よって、画素１２ｂの右上に位置する緑色ＬＥＤランプは、画素１２ａの左上に位置する緑色ＬＥＤランプであるとともに、画素１１ｂの右下に位置する緑色ＬＥＤランプであるので、隣接する画素１２ｂと、画素１２ａ，１１ｂとは、この緑色ＬＥＤランプを共有している。同様に、画素１２ｂの右下に位置する青色ＬＥＤランプは、画素１２ａの左下に位置する青色ＬＥＤランプであるので、隣接する画素１２ａと画素１２ｂとは、この青色ＬＥＤランプを共有している。また同様に、画素１２ｂの左上に位置する赤色ＬＥＤランプは、画素１１ｂの左下に位置する赤色ＬＥＤランプであるので、隣接する画素１１ｂと画素１２ｂとは、この赤色ＬＥＤランプを共有している。
【００７０】
したがって、列方向に隣接する画素１２ａと画素１２ｂとは、集合体を構成するＬＥＤランプ２のうち隣接する画素の側に位置する縦２個のＬＥＤランプ２が、共有して構成されている。さらには、行方向に隣接する画素１１ｂと画素１２ｂとは、集合体を構成するＬＥＤランプ２のうち隣接する画素の側に位置する横２個のＬＥＤランプ２が、共有して構成されている。
【００７１】
このように、行方向および列方向の両方に隣接する各画素（画素１１ａ，１１ｂ，１１ｃ，…，１２ａ，１２ｂ，…，１３ａ，…）は、集合体を構成するＬＥＤランプ２のうち隣接する画素の側に位置する横・縦２個のＬＥＤランプ２が、共有して構成されている。ゆえに、ＬＥＤ表示装置１０では、各画素は、行方向および列方向の両方に重なり合って配列されている。
【００７２】
よって、ＬＥＤ表示装置１０では、例えば、図２に示す８行×８列の計６４個のＬＥＤランプ２が備えられている場合、画素数は４９個（７行×７列）となる。したがって、従来の１６個の画素数に比べて、ＬＥＤ表示装置１０は画像の解像度を約３倍向上することが可能となる。それゆえ、さらに高精細な画像表示を行うことが可能となる。
【００７３】
また、上記効果を奏することにより、ＬＥＤランプ２の使用数を約１／３に低減することが可能となるので、画質を悪化させることなく、ＬＥＤランプ２の個数および回路部品を削減することが可能となる。それゆえ、大幅なコストダウンを実現するという効果も併せて奏する。
【００７４】
また、各画素には、ＲＧＢの３色発光を可能にする４個のＬＥＤランプ２が内蔵されているので、ＬＥＤ表示装置１０は、多色表示を行うことが可能となっている。また、ＬＥＤランプ２は、等間隔で配列されていることにより、隣接する画素とＬＥＤランプ２を共用しても、表示する映像に何ら影響はない。
【００７５】
なお、上述したＬＥＤ表示装置１０では、１つの画素が、１個の赤色ＬＥＤランプと、２個の緑色ＬＥＤランプと、１個の青色ＬＥＤランプとにより構成される場合について説明したが、特にこれに限定するものではなく、図１に示した配列パターンに限定するものでもない。
【００７６】
例えば、２個の赤色ＬＥＤランプ、１個の緑色ＬＥＤランプ、および１個の青色ＬＥＤランプの組合せや、１個の赤色ＬＥＤランプ、１個の緑色ＬＥＤランプ、および２個の青色ＬＥＤランプの組合せでもよいし、赤色ＬＥＤランプ、緑色ＬＥＤランプ、および青色ＬＥＤランプを各１個ずつ含んでいれば、赤・緑・青色以外に発光するＬＥＤランプを構成してもよい。
【００７７】
ＬＥＤランプ２の他の配列パターンとして、図３に、赤色ＬＥＤランプの比率を多くしたときの配列パターンを示す。
【００７８】
図３に示すように、１画素は、２個の赤色ＬＥＤランプ、１個の緑色ＬＥＤランプ、および１個の青色ＬＥＤランプを含む、隣接する２行×２列の計４個のＬＥＤランプ２の集合体により構成されている。そして、図２を用いて説明したように、行方向および列方向の両方に隣接する各画素（画素１１ａ，１１ｂ，１１ｃ，…，１２ａ，１２ｂ，…，１３ａ，…）は、集合体を構成するＬＥＤランプ２のうち隣接する画素の側に位置する横・縦２個のＬＥＤランプ２が、共有して構成されている。
【００７９】
上記のように、赤色ＬＥＤランプの比率が多い集合体により構成される画素は、赤色の割合が大きくなるように表示することが可能であるので、赤色で表示される情報がより鮮明となる。
【００８０】
通常、危険情報などの重要情報は、注意を喚起する色である赤色で表示される。よって、上記のような重要情報が鮮明に表示されることにより、観測者に対して重要情報を的確に伝えることが可能となり、観測者への注意の喚起向上につながる。例えば、屋外の道路情報板などに適用した場合、自動車の運転者などに対して、渋滞や路面情報などの交通・道路情報を的確に伝えることが可能となり、安全性の向上につながる。
【００８１】
（ＬＥＤ表示装置の表示方法）
次に、ＬＥＤ表示装置１０の表示方法（駆動方法）について説明する。
【００８２】
上述したように、ＬＥＤ表示装置１０は、互いに隣り合う側に位置する縦・横２個のＬＥＤランプ２を共有化しているので、従来あった１ドットごとの明確な区分けはなくなり、画素のピッチを、図８に示した画素（画素６ａ，６ｂ，…）のピッチの１／２になるように駆動する。
【００８３】
ＬＥＤ表示装置１０に備えられている駆動制御回路は、緑色ＬＥＤランプに対して、８ドット分の点灯信号メモリを持ち、かつ、その８ドット分に対する各ドットに対して８ビット諧調データを保持する回路を具備している。また、駆動制御回路は、赤色ＬＥＤランプおよび青色ＬＥＤランプに対して、４ドットの点灯信号メモリをそれぞれ持ち、かつ、その４ドットに対する各ドットに対して８ビットの諧調データを保持する回路を具備している。
【００８４】
列方向に隣接する画素がＬＥＤランプ２を共有する構成の場合、標準となるＡ画面を点灯したあと、Ａ画面を列方向にＬＥＤランプ１個分ずらしたＢ画面を点灯する。すなわち、Ａ画面とＢ画面とを時分割点灯（時分割駆動）する。例えば、Ａ画面を点灯するときは、画素１１ａと画素１１ｃとが同時に発光し、Ｂ画面を点灯するときは、画素１１ｂと画素１１ｃの左隣の画素とが同時に発光することになる。これにより、従来技術のようにＡ画面のみを点灯した場合と比べて、高精細な画像表示を行うことが可能となる。
【００８５】
また、Ａ画面とＢ画面とにおいて、１画素を構成する各色ごとのＬＥＤランプ２の組合せ（例えば、図１に示す配列パターンの場合：Ｒ１個、Ｇ２個、Ｂ１個）は変わらない。それゆえ、画像データの作成も容易である。
【００８６】
さらに、Ａ画面とＢ画面との画像データを変えて時分割駆動することにより、列方向の画素ピッチは１／２となる。それゆえ、従来技術では横４画素であった画像が、ＬＥＤ表示装置１０では横７画素の画像となり、列方向にてほぼ２倍の解像度を達成することが可能となる。
【００８７】
また、さらに行方向に隣接する画素がＬＥＤランプ２を共有する構成の場合、標準となるＡ画面を点灯したあと、Ａ画面を列方向にＬＥＤランプ１個分ずらしたＢ画面を点灯し、続いて、Ａ画面を行方向にＬＥＤランプ１個分ずらしたＣ画面を点灯し、さらにＣ画面を、Ａ画面をＢ画面にずらした方向と同じ列方向にＬＥＤランプ１個分ずらしたＤ画面を点灯する。すなわち、Ａ・Ｂ・Ｃ・Ｄの４画面を時分割駆動する。
【００８８】
例えば、Ａ画面を点灯するときは画素１１ａ、画素１１ｃ、および画素１３ａが同時に発光し、Ｂ画面を点灯するときは画素１１ｂが発光し、Ｃ画面を点灯するときは画素１２ａが発光し、Ｄ画面を点灯するときは画素１２ｂが発光することになる。これにより、従来技術のようにＡ画面のみを点灯した場合と比べて、さらに高精細な画像表示を行うことが可能となる。
【００８９】
また、Ａ画面〜Ｄ画面において、１画素を構成する各色ごとのＬＥＤランプ２の組合せ（例えば、図２に示す配列パターンの場合：Ｒ１個、Ｇ２個、Ｂ１個）は変わらない。それゆえ、画像データの作成も容易である。
【００９０】
さらに、Ａ画面〜Ｄ画面の画像データを変えて時分割駆動することにより、列方向の画素ピッチは１／２となるのに加え、行方向の画素ピッチは１／２となる。それゆえ、従来技術では縦４画素・横４画素であった画像が、ＬＥＤ表示装置１０では縦７画素・横７画素の画像となり、全体的に３〜４倍（行方向約２倍・列方向約２倍）の解像度を達成することが可能となる。
【００９１】
〔実施の形態２〕
本発明の他の実施の形態について図面に基づいて説明すれば、以下の通りである。なお、本実施の形態において説明すること以外の構成は、前記実施の形態１と同じである。また、説明の便宜上、前述した図面に示した部材と同一の機能を有する部材については、同一の符号を付し、その説明を省略する。
【００９２】
本実施の形態のＬＥＤ表示装置２０では、前記実施の形態１のＬＥＤ表示装置１０の構成のうちＬＥＤランプ２の構成に替えて、２色ＬＥＤランプ２１を備えている。すなわち、単色のＬＥＤランプ２ではなく、２色ＬＥＤランプ２１を備えている。
【００９３】
図４は、従来のＬＥＤ表示装置１における４行×４列の計１６個のＬＥＤランプ２の配列パターンと対比するように、本実施の形態のＬＥＤ表示装置２０の表示部の一部を示している。
【００９４】
ＬＥＤ表示装置２０は、所定の間隔でマトリクス状に配列された複数の２色ＬＥＤランプ２１を駆動（発光）することによって、文字や映像などの情報（画像）を表示する。２色ＬＥＤランプ２１は、プリント配線基板３に実装されている。プリント配線基板３は、２色ＬＥＤランプ２１の実装面が露出するように、ケース４に固定され収められている。
【００９５】
２色ＬＥＤランプ２１は、異なる色を発光する半導体チップが２つ内蔵された、２色発光可能なＬＥＤランプである。２つの半導体チップは、隣接して並ぶように内蔵されている。２色ＬＥＤランプ２１は、行方向および列方向に、等しいピッチで配列されている。このピッチとしては、２色ＬＥＤランプ内のＬＥＤチップの並びの方向に、ＬＥＤチップが等ピッチになるように２色ＬＥＤランプ２１を配列すればよい。２色ＬＥＤランプ内のＬＥＤチップの並びの方向と垂直な方向へは、ＬＥＤチップを等間隔ピッチになるように配列できないが、２色ＬＥＤランプ２１が等間隔になるように配列すればよい。
【００９６】
図４に示すＬＥＤランプ２の配列パターンをＬＥＤ表示装置２０にて適用する場合、２色ＬＥＤランプ２１としては、青色半導体チップと赤色半導体チップとが内蔵された２色の青・赤色ＬＥＤランプ、および、赤色半導体チップと緑色半導体チップとが内蔵された２色の赤・緑色ＬＥＤランプ、が用いられている。
【００９７】
青・赤色ＬＥＤランプは、青色半導体チップが上側、赤色半導体チップが下側に位置するように、赤・緑色ＬＥＤランプは、赤色半導体チップが上側、緑色半導体チップが下側に位置するように、青・赤色ＬＥＤランプと赤・緑色ＬＥＤランプとが列方向に交互に配列されている。そして、列方向と同様の配列が行毎に配列されている。
【００９８】
１画素は、１個の青・赤色ＬＥＤランプ、および、１個の赤・緑色ＬＥＤランプを含む、隣接する１行×２列の計２個の２色ＬＥＤランプ２１の集合体により構成されている。すなわち、上記集合体は、２個の赤色ＬＥＤチップと、１個の緑色ＬＥＤチップと、１個の青色ＬＥＤチップとを含んでいる。そして、上記集合体を構成する右側の２色ＬＥＤランプ２１は、右隣の画素を構成する集合体に含まれており、上記集合体を構成する左側の２色ＬＥＤランプ２１は、左隣の画素を構成する集合体に含まれている。
【００９９】
詳細には、画素２２ａは、左側に位置する青・赤色ＬＥＤランプと、右側に位置する赤・緑色ＬＥＤランプとにより構成されている。このとき、画素２２ａでは、左上に青色ＬＥＤチップ、左下に赤色ＬＥＤチップ、右上に赤色ＬＥＤチップ、右下に緑色ＬＥＤチップが位置している。また、画素２２ａの右隣の画素２２ｂは、左側に位置する赤・緑色ＬＥＤランプと、右側に位置する青・赤色ＬＥＤランプとにより構成されている。このとき、画素２２ｂでは、左上に赤色ＬＥＤチップ、左下に緑色ＬＥＤチップ、右上に青色ＬＥＤチップ、右下に赤色ＬＥＤチップが位置している。
【０１００】
よって、画素２２ｂの左側に位置する赤・緑色ＬＥＤランプは、画素２２ａの右側に位置する赤・緑色ＬＥＤランプであるので、隣接する画素２２ａと画素２２ｂとは、この赤・緑色ＬＥＤランプを共有している。すなわち、隣接する画素２２ａと画素２２ｂとは、１個の赤色ＬＥＤチップと１個の緑色ＬＥＤチップとを共有している。
【０１０１】
したがって、列方向に隣接する画素２２ａと画素２２ｂとは、集合体を構成する２色ＬＥＤランプ２１のうち隣接する画素の側に位置する２色ＬＥＤランプ２１が、共有して構成されている。
【０１０２】
また、画素２２ｂの右隣の画素２２ｃは、左側に位置する青・赤色ＬＥＤランプと、右側に位置する赤・緑色ＬＥＤランプとにより構成されている。このとき、画素２２ｃでは、左上に青色ＬＥＤチップ、左下に赤色ＬＥＤチップ、右上に赤色ＬＥＤチップ、右下に緑色ＬＥＤチップが位置している。
【０１０３】
よって、画素２２ｃの左側に位置する青・赤色ＬＥＤランプは、画素２２ｂの右側に位置する青・赤色ＬＥＤランプであるので、隣接する画素２２ｂと画素２２ｃとは、この青・赤色ＬＥＤランプを共有している。すなわち、隣接する画素２２ｂと画素２２ｃとは、１個の青色ＬＥＤチップと１個の赤色ＬＥＤチップとを共有している。
【０１０４】
したがって、列方向に隣接する画素２２ｂと画素２２ｃとは、集合体を構成する２色ＬＥＤランプ２１のうち隣接する画素の側に位置する２色ＬＥＤランプ２１が、共有して構成されている。
【０１０５】
このように、列方向に隣接する各画素（画素２２ａ，２２ｂ，２２ｃ，…）は、集合体を構成する２色ＬＥＤランプ２１のうち隣接する画素の側に位置する２色ＬＥＤランプ２１が、共有して構成されている。ゆえに、ＬＥＤ表示装置２０では、各画素は、列方向に重なり合って配列されている。
【０１０６】
よって、ＬＥＤ表示装置２０では、例えば、図４に示す２行×４列の計８個の２色ＬＥＤランプ２１が備えられている場合、画素数は６個となる。従来の４行×４列の計１６個のＬＥＤランプ２が備えられている構成においての画素数は４個（画素７ａ，７ｂ，…）であるので、これに比べて、列方向の画像の解像度を約２倍近く向上することが可能となる。それゆえ、高精細な画像表示を行うことが可能となる。
【０１０７】
また、２色ＬＥＤランプ２１を備えることにより、画質を悪化させることなく、単色のＬＥＤランプ２を備える場合よりも、ランプ数や回路部品を削減することが可能となる。それゆえ、大幅なコストダウンを実現するという効果も併せて奏する。
【０１０８】
また、各画素には、ＲＧＢの３色発光を可能にする２個の２色ＬＥＤランプ２１が内蔵されているので、ＬＥＤ表示装置０は、多色表示を行うことが可能となっている。つまりは、青・赤色ＬＥＤランプ、および赤・緑色ＬＥＤランプは、上記画素を構成する集合体に、２個の赤色ＬＥＤチップ、１個の緑色ＬＥＤチップ、および１個の青色ＬＥＤチップを含むような一定のパターンに基づいて配列されている。また、２色ＬＥＤランプ２１は、等間隔で配列されていることにより、隣接する画素と２色ＬＥＤランプ２１を共用しても、表示する映像に何ら影響はない。
【０１０９】
なお、ＬＥＤ表示装置２０では、列方向に隣接する画素が２色ＬＥＤランプ２１を共有する構成としたが、これに限らず、行方向に隣接する画素が２色ＬＥＤランプ２１を共有する構成とすることも勿論可能である。
【０１１０】
図５は、従来のＬＥＤ表示装置１における４行×４列の計１６個のＬＥＤランプ２の配列パターンと対比するように、本実施の形態のＬＥＤ表示装置２０において、行方向に隣接する画素が２色ＬＥＤランプ２１を共有する構成を示す図である。
【０１１１】
図５に示すＬＥＤランプ２の配列パターンをＬＥＤ表示装置２０にて適用する場合、図４に示したときと同様に、２色ＬＥＤランプ２１としては、青・赤色ＬＥＤランプ、および赤・緑色ＬＥＤランプが用いられている。
【０１１２】
但し、青・赤色ＬＥＤランプは、青色半導体チップが左側、赤色半導体チップが右側に位置するように、赤・緑色ＬＥＤランプは、赤色半導体チップが左側、緑色半導体チップが右側に位置するように、青・赤色ＬＥＤランプと赤・緑色ＬＥＤランプとが行方向に交互に配列されている。そして、行方向と同様の配列が列毎に配列されている。
【０１１３】
１画素は、１個の青・赤色ＬＥＤランプ、および、１個の赤・緑色ＬＥＤランプを含む、隣接する２行×１列の計２個の２色ＬＥＤランプ２１の集合体により構成されている。すなわち、上記集合体は、２個の赤色ＬＥＤチップと、１個の緑色ＬＥＤチップと、１個の青色ＬＥＤチップとを含んでいる。そして、上記集合体を構成する上側の２色ＬＥＤランプ２１は、上隣の画素を構成する集合体に含まれており、上記集合体を構成する下側の２色ＬＥＤランプ２１は、下隣の画素を構成する集合体に含まれている。
【０１１４】
詳細には、画素２３ａは、上側に位置する青・赤色ＬＥＤランプと、下側に位置する赤・緑色ＬＥＤランプとにより構成されている。このとき、画素２３ａでは、左上に青色ＬＥＤチップ、右上に赤色ＬＥＤチップ、左下に赤色ＬＥＤチップ、右下に緑色ＬＥＤチップが位置している。また、画素２３ａの下隣の画素２３ｂは、上側に位置する赤・緑色ＬＥＤランプと、下側に位置する青・赤色ＬＥＤランプとにより構成されている。このとき、画素２３ｂでは、左上に赤色ＬＥＤチップ、右上に緑色ＬＥＤチップ、左下に青色ＬＥＤチップ、右下に赤色ＬＥＤチップが位置している。
【０１１５】
よって、画素２３ｂの上側に位置する赤・緑色ＬＥＤランプは、画素２３ａの下側に位置する赤・緑色ＬＥＤランプであるので、隣接する画素２３ａと画素２３ｂとは、この赤・緑色ＬＥＤランプを共有している。すなわち、隣接する画素２３ａと画素２３ｂとは、１個の赤色ＬＥＤチップと１個の緑色ＬＥＤチップとを共有している。
【０１１６】
したがって、行方向に隣接する画素２３ａと画素２３ｂとは、集合体を構成する２色ＬＥＤランプ２１のうち隣接する画素の側に位置する２色ＬＥＤランプ２１が、共有して構成されている。
【０１１７】
また、画素２３ｂの下隣の画素２３ｃは、上側に位置する青・赤色ＬＥＤランプと、下側に位置する赤・緑色ＬＥＤランプとにより構成されている。このとき、画素２３ｃでは、左上に青色ＬＥＤチップ、右上に赤色ＬＥＤチップ、左下に赤色ＬＥＤチップ、右下に緑色ＬＥＤチップが位置している。
【０１１８】
よって、画素２３ｃの上側に位置する青・赤色ＬＥＤランプは、画素２３ｂの下側に位置する青・赤色ＬＥＤランプであるので、隣接する画素２３ｂと画素２３ｃとは、この青・赤色ＬＥＤランプを共有している。すなわち、隣接する画素２３ｂと画素２３ｃとは、１個の青色ＬＥＤチップと１個の赤色ＬＥＤチップとを共有している。
【０１１９】
したがって、行方向に隣接する画素２３ｂと画素２３ｃとは、集合体を構成する２色ＬＥＤランプ２１のうち隣接する画素の側に位置する２色ＬＥＤランプ２１が、共有して構成されている。
【０１２０】
このように、行方向に隣接する各画素（画素２３ａ，２３ｂ，２３ｃ，…）は、集合体を構成する２色ＬＥＤランプ２１のうち隣接する画素の側に位置する２色ＬＥＤランプ２１が、共有して構成されている。ゆえに、ＬＥＤ表示装置２０では、各画素は、行方向に重なり合って配列されている。
【０１２１】
よって、ＬＥＤ表示装置２０では、画素が列方向に共有化される場合と同様に、従来と比較して、行方向の画像の解像度を約２倍近く向上することが可能となる。それゆえ、高精細な画像表示を行うことが可能となる。また、２色ＬＥＤランプ２１を備えることにより、画質を悪化させることなく、ランプ数や回路部品を削減することが可能となる。それゆえ、大幅なコストダウンを実現するという効果も併せて奏する。
【０１２２】
また、各画素には、ＲＧＢの３色発光を可能にする２個の２色ＬＥＤランプ２１が内蔵されているので、ＬＥＤ表示装置２０は、多色表示を行うことが可能となっている。つまりは、青・赤色ＬＥＤランプ、および赤・緑色ＬＥＤランプチップは、上記画素を構成する集合体に、２個の赤色ＬＥＤチップ、１個の緑色ＬＥＤチップ、および１個の青色ＬＥＤチップを含むような一定のパターンに基づいて配列されている。また、２色ＬＥＤランプ２１は、等間隔で配列されていることにより、隣接する画素と２色ＬＥＤランプ２１を共用しても、表示する映像に何ら影響はない。
【０１２３】
なお、上述したＬＥＤ表示装置２０では、１つの画素が、１個の青・赤色ＬＥＤランプと、１個の赤・緑色ＬＥＤランプとにより構成される場合について説明したが、特にこれに限定するものではなく、図４，５に示した配列パターンに限定するものでもない。
【０１２４】
例えば、１個の青・緑色ＬＥＤランプ、および１個の緑・赤色ＬＥＤランプの組合せや、１個の赤・青色ＬＥＤランプ、および１個の青・緑色ＬＥＤランプの組合せでもよい。内蔵されている半導体チップが上下に位置するように、２色ＬＥＤランプ２１が配列されている場合は、列方向に隣接する各画素は、集合体を構成する２色ＬＥＤランプ２１のうち隣接する画素の側に位置する２色ＬＥＤランプ２１が、共有して構成される。また、内蔵されている半導体チップが左右に位置するように、２色ＬＥＤランプ２１が配列されている場合は、行方向に隣接する各画素は、集合体を構成する２色ＬＥＤランプ２１のうち隣接する画素の側に位置する２色ＬＥＤランプ２１が、共有して構成される。
【０１２５】
なお、ＬＥＤ表示装置２０は、上述したＬＥＤ表示装置１０の表示方法と同様の方法により、画素が共有して駆動され、画像が表示される。
【０１２６】
以上説明したように、本発明のＬＥＤ表示装置は、上記課題を解決するために、マトリクス状に配列された複数の単色ＬＥＤランプを、隣接する２行×２列の計４個の単色ＬＥＤランプの集合体を１画素として駆動することにより、画像を表示するＬＥＤ表示装置において、上記集合体は、１個の赤色ＬＥＤランプと、２個の緑色ＬＥＤランプと、１個の青色ランプとを含み、画素は、行方向、列方向、または、行方向および列方向の両方に隣接する画素と、上記集合体を構成する単色ＬＥＤランプのうち上記隣接する画素の側に位置する２個の単色ＬＥＤランプが、共有して駆動されていることを特徴としている。
【０１２７】
また、本発明のＬＥＤ表示装置は、上記課題を解決するために、マトリクス状に配列された複数の単色ＬＥＤランプを、隣接する２行×２列の計４個の単色ＬＥＤランプの集合体を１画素として駆動することにより、画像を表示するＬＥＤ表示装置において、上記集合体は、２個の赤色ＬＥＤランプと、１個の緑色ＬＥＤランプと、１個の青色ランプとを含み、画素は、行方向、列方向、または、行方向および列方向の両方に隣接する画素と、上記集合体を構成する単色ＬＥＤランプのうち上記隣接する画素の側に位置する２個の単色ＬＥＤランプが、共有して駆動されていることを特徴としている。
【０１２８】
さらに、本発明のＬＥＤ表示装置は、上記課題を解決するために、マトリクス状に配列された複数の単色ＬＥＤランプを、隣接する２行×２列の計４個の単色ＬＥＤランプの集合体を１画素として駆動することにより、画像を表示するＬＥＤ表示装置において、上記集合体は、１個の赤色ＬＥＤランプと、１個の緑色ＬＥＤランプと、２個の青色ランプとを含み、画素は、行方向、列方向、または、行方向および列方向の両方に隣接する画素と、上記集合体を構成する単色ＬＥＤランプのうち上記隣接する画素の側に位置する２個の単色ＬＥＤランプが、共有して駆動されていることを特徴としている。
【０１２９】
上記の各構成によれば、行方向、列方向、または、行方向および列方向の両方に隣接する各画素は、集合体を構成する単色ＬＥＤランプうち上記隣接する画素の側に位置する２個のＬＥＤランプが、共有して構成されていることにより、各画素は、行方向、列方向、または、行方向および列方向の両方に重なり合って配列されている。
【０１３０】
よって、例えば、８行×８列の計６４個の単色ＬＥＤランプが備えられている場合、画素数は２８個（４行×７列）または４９個（７行×７列）となる。従来では同数の単色ＬＥＤランプの構成においての画素数は１６個であるので、これに比べて、画像の解像度を約２倍近くまたは約３倍向上することが可能となる。それゆえ、高精細な画像表示を行うことが可能となる。
【０１３１】
また、単色ＬＥＤランプの使用数を約１／２または約１／３に低減することが可能となるので、画質を悪化させることなく、単色ＬＥＤランプの個数および回路部品（例えば、単色ＬＥＤランプへの駆動信号を出力する信号配線など。）を削減することが可能となる。それゆえ、大幅なコストダウンを実現するという効果も併せて奏する。
【０１３２】
なお、上記何れの構成においても、各画素には、赤（Ｒ）緑（Ｇ）青（Ｂ）の３色発光を可能にする４個の単色ＬＥＤランプが内蔵されているので、多色表示を行うことが可能となっている。
【０１３３】
また、集合体が、２個の赤色ＬＥＤランプと、１個の緑色ＬＥＤランプと、１個の青色ランプとを含む構成においては、赤色の割合が大きくなるように表示することが可能であるので、赤色で表示される情報がより鮮明となる。これにより、観測者に対して、上記情報として、例えば、危険情報などの重要情報を的確に伝えることが可能となり、観測者への注意の喚起向上につながる。
【０１３４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３５】
本発明は、文字や映像などの情報を表示するＬＥＤ表示装置に関する分野に好適に用いることができるだけでなく、ＬＥＤ表示装置の表示方法に関する分野、例えば、複数のＬＥＤランプを駆動する制御方法に関する分野に好適に用いることができ、さらには、ＬＥＤ表示装置の製造方法の分野にも広く用いることができる。
【符号の説明】
【０１３６】
２  ＬＥＤランプ（単色ＬＥＤランプ）
３  プリント配線基板
４  ケース
５  ルーバー
１０，２０  ＬＥＤ表示装置
１１ａ，１１ｂ，１１ｃ，１２ａ，１２ｂ，１３ａ  画素
２１  ２色ＬＥＤランプ
２２ａ，２２ｂ，２２ｃ，２３ａ，２３ｂ，２３ｃａ  画素
【図１】
2012212152.tif 000003
【図２】
2012212152.tif 000004
【図３】
2012212152.tif 000005
【図４】
2012212152.tif 000006
【図５】
2012212152.tif 000007
【図６】
2012212152.tif 000008
【図７】
2012212152.tif 000009
【図８】
2012212152.tif 000010